(57)【要約】【課題】本件は、円盤状の記憶装置を回転させて回転中の記憶媒体をアクセスするロード／アンロード方式の記憶装置からランプを取外すためのランプ取外し冶具等に関し、ランプを記憶装置が安全かつ作業性よく取り外す。【解決手段】ランプ１８に取外し用の穴を設けておき、その穴にランプ取外し冶具２０に備えられたピン２３２ａを挿入して、ランプ１８をピン２３２ａと摘みアーム２３３とで挟み、ランプ１８を固定しているネジ１８５を外し、記憶装置の基体１２をスライドさせて記憶媒体１３とランプ１８との干渉を外してからランプ１８を持ち上げる。【選択図】        図１３
2010238312.tif 000002
【特許請求の範囲】
【請求項１】
基体と、
円盤状の記憶媒体を前記基体に対し回転させる回転駆動部と、
前記記憶媒体をアクセスするヘッドを先端側に搭載したアクチュエータアームと、
前記アクチュエータアームを前記基体に対し回動させることにより、前記ヘッドを、前記記憶媒体表面に対面したロード領域と該記憶媒体周面よりも外側に外れたアンロード位置との間で該記憶媒体表面に沿って移動させるアクチュエータ駆動部と、
前記基体に固定され、前記ヘッドを前記アンロード位置に移動させた状態の前記アクチュエータアーム先端を支持するランプとを備え、
前記ランプが、当該ランプを前記基体から取り出すための、前記記憶媒体の表面に対する垂直な方向に開口した取外し穴が設けられたランプであることを特徴とする記憶装置。
【請求項２】
前記ランプがさらに、ネジ止め用のネジ止め穴を有し、該ネジ止め穴を利用して前記基体にネジ止めされたものであることを特徴とする請求項１記載の記憶装置。
【請求項３】
基体と、円盤状の記憶媒体を前記基体に対し回転させる回転駆動部と、前記記憶媒体をアクセスするヘッドを先端側に搭載したアクチュエータアームと、前記アクチュエータアームを前記基体に対し回動させることにより、前記ヘッドを、前記記憶媒体表面に対面したロード領域と該記憶媒体周面よりも外側に外れたアンロード位置との間で該記憶媒体表面に沿って移動させるアクチュエータ駆動部とを備えた記憶装置の前記基体に固定され、前記ヘッドを前記アンロード位置に移動させた状態の前記アクチュエータアーム先端を支持するランプであって、
当該ランプを前記基体から取り外すための、前記記憶媒体の表面に対する垂直な方向に開口した取外し穴が設けられていることを特徴とするランプ。
【請求項４】
基盤と、
前記基盤上に置かれ、請求項１又は２記載の記憶装置の分解途中であって、前記記憶媒体が搭載され前記ランプが固定されて該ランプ取外し前の状態の前記基体が前記記憶媒体を水平にした姿勢で位置決めされた状態に載置される、前記基盤上で水平方向に移動自在な載置台と、
下方向に延び前記取外し穴に挿抜されるピンを備えたアームブロックと、該アームブロックに中央部が軸支され、前記ピンの横に位置し前記ランプ側面を押して前記取外し穴に挿入された状態の前記ピンとの間で前記ランプを挟む挟み部を下部に有するとともに、前記アームブロックとの間で指で摘むことにより前記挟み部を前記ランプ側面から離間させる摘み部を上部に有し、前記挟み部が前記ピンが近づく方向に付勢された摘みアームとを有するランプ挟みヘッドを備えた冶具アームと、
前記冶具アームを案内して、前記載置台上に載置された前記基体に固定された状態の前記ランプの前記取外し穴に前記ピンが挿入された状態にある挿入位置と、前記ランプ挟みヘッドが前記挿入位置から上方かつ横方に離れた退避位置との間で、前記挿入位置にある前記ランプ挟みヘッドを上方に移動させた後横方向に移動させることで該ランプ挟みヘッドを前記退避位置に移動させ、該退避位置にある該ランプ挟みヘッドを横方向に移動させた後下方向に移動させることで該ランプ挟みヘッドを該挿入位置に移動させる、前記基盤上に設置された案内機構と、
前記載置台に載置された前記基体に固定された状態の前記ランプの前記取外し穴への前記ピンの挿入を受ける作業位置と、該基体に搭載された前記記憶媒体と、前記ランプ挟みヘッドに挟まれ該基体から取り外されて該作業位置に留まった状態の前記ランプとの間の上下方向の重なりを避けた非干渉位置との間で前記載置台を移動させる操作レバーとを備えたことを特徴とするランプ取外し冶具。
【請求項５】
前記アームブロックが、前記ランプ挟みヘッドが前記挿入位置に移動してきたときに前記ランプを上から押える押え部を有することを特徴とする請求項４記載のランプ取外し冶具。
【発明の詳細な説明】
【技術分野】
【０００１】
本件は、円盤状の記憶装置を回転させて回転中の記憶媒体をアクセスするロード／アンロード方式の記憶装置、そのロード／アンロード方式の記憶装置に用いられるランプ、およびそのランプを取り外すためのランプ取外し冶具に関する。
【背景技術】
【０００２】
ロード／アンロード方式の磁気ディスク装置には、アンロード位置に、先端側に磁気ヘッドを備えたアームの先端を支持するランプと呼ばれる部品が配置されている。
【０００３】
このランプは、磁気ディスク媒体の起動、停止時の低回転状態で磁気ヘッド退避させておくための部品であり、この部品の存在により磁気ディスク媒体を磁気ヘッドで傷つけてしまう危険を大幅に減らすことができる。このランプは、その構造上、平面視で磁気ディスク媒体と一部重なる位置に組み合わされている。
【０００４】
ここで、磁気ディスク装置の分解、修理時に、作業者は磁気ディスク媒体にランプを接触させないように細心の注意を払ってランプを取り外している。しかしながら、作業者はピンセットを使用してランプを取り外しており、磁気ディスク媒体に対する安全性を保証できない上に、作業が慎重になり時間がかかってしまい作業効率が悪い。
【先行技術文献】
【特許文献】
【０００５】
【特許文献１】特開２００７−７３１６８号公報
【特許文献２】特開２００８−２３４７７８号公報
【発明の概要】
【発明が解決しようとする課題】
【０００６】
本件の課題は、磁気ディスク装置等の記憶装置に備えられているランプを安全かつ作業効率よく、その記憶装置から取り外すことにある。
【課題を解決するための手段】
【０００７】
本件開示の記憶装置は、基体，回転駆動部，アクチュエータアーム，アクチュエータ駆動部，およびランプを備えている。
【０００８】
回転駆動部は、円盤状の記憶媒体を基体に対し回転させるものである。
【０００９】
アクチュエータアームは、記憶媒体をアクセスするヘッドを先端側に搭載したアームである。
【００１０】
アクチュエータ駆動部は、アクチュエータアームを基体に対し回動させることにより、上記ヘッドを、記憶媒体表面に対面したロード領域と記憶媒体周面よりも外側に外れたアンロード位置との間でその記憶媒体表面に沿って移動させる駆動部である。
【００１１】
ランプは、基体に固定され、上記ヘッドをアンロード位置に移動させた状態のアクチュエータアーム先端を支持するランプである。
【００１２】
ここで、上記ランプには、そのランプを基体から取り出すための、記憶媒体の表面に対する垂直な方向に開口した取外し穴が設けられている。
【００１３】
また、本件開示のランプ取外し冶具は、基盤，載置台，冶具アーム，案内機構，および操作レバーを備えている。
【００１４】
ここで、載置台は、基盤上に置かれ、本件の記憶装置の分解途中であって、記憶媒体が搭載されランプが固定されてランプ取外し前の状態の基体が記憶媒体を水平にした姿勢で位置決めされた状態に載置される、基盤上で水平方向に移動自在な台である。
【００１５】
また、冶具アームはランプ挟みヘッドを備えた部材であって、そのランプ挟みヘッドはアームブロックと摘みアームとを有する部材である。
【００１６】
ここで、アームブロックは、下方向に延び上記取外し穴に挿抜されるピンを備えている。
【００１７】
また、摘みアームは、アームブロックに中央部が軸支され、挟み部を下部に有するとともに摘み部を上部に有し、挟み部がピンに近づく方向に付勢された部材である。
【００１８】
摘みアームの挟み部は、ピンの横に位置しランプ側面を押して取外し穴に挿入された状態のピンとの間でランプを挟む部分であり、摘み部は、アームブロックとの間で指で摘むことにより挟み部をランプ側面から離間させる部分である。
【００１９】
また、案内機構は、基板上に設置されたものであって、挿入位置にあるランプ挟みヘッドを上方に移動させた後横方向に移動させることでランプ挟みヘッドを退避位置に移動させるものである。また、この案内機構は退避位置にあるランプ挟みヘッドについては、そのランプ挟みヘッドを横方向に移動させた後下方向に移動させることでランプ挟みヘッドを挿入位置に移動させるものである。ここで、挿入位置は、ランプ挟みヘッドが、載置台上に載置された基体に固定された状態のランプの取外し穴に上記のピンが挿入された状態にある位置である。また、退避位置は、ランプ挟みヘッドが挿入位置から上方かつ横方に離れた位置である。
【００２０】
また操作レバーは、載置台を作業位置と非干渉位置との間で移動させるレバーである。作業位置は、載置台に載置された基体に固定された状態のランプの取外し穴へのピンの挿入を受ける位置である。また、非干渉位置は、基体に搭載された記憶媒体と、ランプ挟みヘッドに挟まれ基体から取り外されて作業位置に留まった状態のランプとの間の上下方向の重なりを避けた位置である。
【発明の効果】
【００２１】
本件によれば、記憶媒体が搭載されランプが固定されてランプ取外し前の状態の基体から、ランプを、記憶媒体に接触させることなく安全かつ効率的に取り外すことができる。
【図面の簡単な説明】
【００２２】
【図１】本件の記憶装置の一実施形態としての磁気ディスク装置の外観斜視図である。
【図２】ランプの斜視図である。
【図３】分解途中の磁気ディスク装置が載った状態のランプ取外し冶具を示す斜視図である。
【図４】分解途中の磁気ディスク装置が載った状態のランプ取外し冶具を別の角度から見たときの図３と同様の図である。
【図５】図３，図４と同じ状態のランプ取外し冶具の平面図である。
【図６】図３，図４と同じ状態のランプ取外し冶具の正面図である。
【図７】図３，図４と同じ状態のランプ取外し冶具の側面図である。
【図８】図３に破線で囲って示す領域Ｄの部分拡大図である。
【図９】ランプ挟みヘッドとランプとの関係を示した図である。
【図１０】載置台が非干渉位置に移動し、かつランプ挟みヘッドが、ランプを挟んだまま退避位置に移動した状態のランプ取外し冶具を示した斜視図である。
【図１１】ランプ取外し作業の第１ステップを示す平面図である。
【図１２】ランプ取外し作業の第２ステップを示す平面図である。
【図１３】ランプ取外し作業の第３ステップを示す平面図である。
【図１４】ランプ取外し作業の第４ステップを示す平面図である。
【発明を実施するための形態】
【００２３】
以下、本件の実施形態について説明する。
【００２４】
図１は、本件の記憶装置の一実施形態としての磁気ディスク装置の外観斜視図である。
【００２５】
この図１にはカバー１１を切り欠いて内部を示した状態の磁気ディスク装置１０が示されている。この磁気ディスク装置１０には、基体１２と、円盤状の記憶媒体の一例である磁気ディスク媒体１３と、その磁気ディスク媒体１３を矢印Ａ方向に回転させるスピンドルモータ１４が備えられている。この磁気ディスク媒体１３は、ここに示す例では、互いの間に所定間隔を空けて３枚重ねられている。スピンドルモータ１４は、それら３枚の磁気ディスク媒体１３を一体的に回転させる。またこの磁気ディスク装置１０には、さらに、先端側にヘッド１５を備えたアクチュエータアーム１６と、そのアクチュエータアーム１６を回動中心軸１６１を中心に矢印Ｂ方向に回動させるボイスコイルモータ１７が備えられているアクチュエータアーム１６が矢印Ｂ方向に回動すると、そのアクチュエータアーム１６の先端側に搭載された磁気ヘッド１５は、ロード領域とアンロード位置との間で磁気ディスク媒体１３の表面に沿って移動する。ロード領域は、磁気ディスク媒体１３の表面に対面した領域である。また、アンロード位置は、磁気ディスク媒体周面よりも外側に外れた位置である。アンロード位置には、このアンロード位置に移動してきたアクチュエータアーム１６の先端を支持するランプ１８が固定されている。アクチュエータアーム１６は、磁気ディスク媒体１３の枚数に合わせて複数本積み重なっており、磁気ヘッド１５は、各磁気ディスク媒体１３の表面と裏面に対応して１つずつ、合計６個搭載されている。磁気ディスク装置１０のカバー１１は、これらの内容物を覆う部材である。
【００２６】
図２は、ランプの斜視図である。
【００２７】
このランプ１８は、アンロード位置に移動してきたアクチュエータアーム１６の先端と摺接しその先端を支持するものである。
【００２８】
このランプ１８には、３本の溝１８１が形成されている。このランプ１８は、磁気ディスク装置１０において、各溝１８１内に３枚の磁気ディスク媒体１３の周面側の一部が入り込んだ位置に固定されている。
【００２９】
また、このランプ１８には、ランプ取付用穴１８２と、以下に説明するランプ取外し冶具のピンが挿入されるランプ取外し用穴１８３が設けられている。
【００３０】
図３は、分解途中の磁気ディスク装置が載った状態のランプ取外し冶具を示す斜視図である。また、図４は、別の角度から見たときの図３と同様の図である。さらに、図５，図６，図７は、図３，図４と同じ状態のランプ取外し冶具の、それぞれ平面図、正面図、および側面図である。さらに図８は、図３に破線で囲って示す領域Ｄの部分拡大図である。ここでは、主に図３を参照しながら説明し、必要に応じて他の図を参照するものとする。
【００３１】
このランプ取外し冶具２０には、基体１２上に磁気ディスク媒体１３が搭載され、基体１２にランプ１８が固定されてランプ１８の取外し前の状態にある磁気ディスク装置１０Ａが、磁気ディスク媒体１３が水平に広がった状態に載置される。
【００３２】
ここで、このランプ取外し冶具２０は、基盤２１と、その基盤２１の上に置かれて上記の状態の磁気ディスク装置１０Ａが載置される載置台２２を備えている。操作レバー２９は、作業者の操作を受けて、この図３に示す、基盤２１上で基盤２１に対し斜めに置かれた状態と、その状態から矢印Ｃ方向に移動させて基盤２１上で正面を向いた状態（図１４参照）との間で回動する。載置台２２は、その操作レバー２９の回動に伴って、図３等に示す作業位置と、図１４等に示す非干渉位置との間で基盤２１上で水平に移動する。
【００３３】
載置台２２には、その上面４箇所に、磁気ディスク媒体１０Ａの基板１２を位置決めするための位置決め部材２２ａが固定されており、磁気ディスク装置１０Ａの基板１２は、その位置決め部材２２ａにより、載置台２２上の正確に位置決めされた位置に載置される。
【００３４】
また、このランプ取外し冶具２０には、冶具アーム２３が備えられている。
【００３５】
この冶具アーム２３は、横に延びるアーム本体２３１と、そのアーム本体２３１の先端に支持されたランプ挟みヘッド２３２を備えている。このランプ挟みヘッド２３２は、アーム本体２３１に固定されたアームブロック２３３と、そのアームブロック２３３に回動自在に支持された摘みアーム２３４とからなる。
【００３６】
アームブロック２３３には、下方向に延び、ランプ１８の取外し穴１８３（図２参照）に挿入されるピン２３３ａを備えている。
【００３７】
図９は、ランプ挟みヘッドとランプとの関係を示した図である。
【００３８】
ランプ挟みヘッド２３２を構成するアームブロック２３３に備えられたピン２３３ａは、図３に示す作業位置にある載置台２２上の磁気ディスク装置１０Ａのランプ１８の取外し穴１８３に挿入される。
【００３９】
また、このアームブロック２３２には、押え部２３３ｂが備えられており、この押え部２３３ｂは、ピン２３３ａがランプ１８の取外し穴１８３に挿入される位置し（ここでは、この位置を「挿入位置」と称する）にあるときにランプ１８を上から押える役割りを担っている。
【００４０】
また、摘みアーム２３４は、その中央部１２にアームブロック２３３に軸支された回動軸２３４ａを有し、下部に挟み部２３４ｂ有し、さらに上部に挟み部２３４ｃを有する。この摘みアーム２３４は、不図示のバネ部材により矢印Ｄ方向に付勢されている。この摘みアーム２３４の下部の挟み部２３４ｂは、その付勢によりランプ１８の側面に当接し、取外し穴１８３に挿入されたピン２３３ａとの間にランプ１８を挟む役割りを有する部分である。また、この摘みアーム２３４の上部の挟み部２３４ｃは、アームブロック２３３との間で指で摘むことにより、挟み部２３４ｂをランプ１８の側面から離間させる役割りの部分である。
【００４１】
ピン２３３ａをランプ１８の取外し穴１８３に挿入するにあたっては、摘み部２３４ｃを摘んだ状態のまま、このランプ挟みヘッド２３２を含む冶具アーム２３全体を下降させてピン２３３ａを取外し穴１８３に挿入し（図９（Ａ））、その後、摘み部２３４ｃを摘んでいた指を離す。これにより、ランプ１８は取外し穴１８３に挿入されたピン２３２ａとランプ１８の側面に当接する挟み部２３４ｂとによりランプ１８が挟まれた状態となる（図９（Ｂ））。
【００４２】
また、このランプ取外し冶具２０には、案内機構２４が設けられている。この案内機構２４は、基盤２１の側面に固定されたカム板２４１と、基盤２１の上面の置かれたスライド機構２４２とからなる。このスライド機構２４２では、スライドブロック２４２ａが、基盤２１の上面に固定された水平レール２４２ｂに案内されてＥ方向に水平移動するとともに、垂直レール２４２ｃに案内されてＦ方向に垂直移動する。このスライドブロック２４１ａには、アーム本体２３１が固定されており、したがってランプ挟みヘッド２３２もこのスライド機構２４２に案内されてＥ方向とＦ方向とに二次元的に移動する。
【００４３】
また、カム板２４１の上面には図７に示す案内カム２４１ａが形成されており、この案内カム２４１ａには、アーム本体２３１の後端に取り付けられている案内コロ２３５が係合している。この案内カム２４１ａには、下方に下がった第１の停止位置２４１ｂと上方に上がった第２の停止位置２４１ｃが設けられている。図３〜図８では、案内コロ２３５は、第１の停止位置２４１ｂに入り込んでいる。案内コロ２３５が第１の停止位置３４１ｂにあるとき、冶具アーム２３を構成するランプ挟みヘッド２３２は、挿入位置にあり、案内コロ２３５が第２の停止位置３４１ｃにあるときは、冶具アーム２３は退避位置にある。ここで挿入位置は、載置台２２に載置された磁気ディスク装置１０Ａの基体２１に固定された状態のランプ１８の取外し穴１８３にピン２３３ａが挿入される位置である。また退避位置は、ランプ挟みヘッド２３２が挿入位置から上方かつ横方に離れた位置である。
【００４４】
このカム板２４1の上面の案内カム２４１ａは、挿入位置にあるランプ挟みヘッド２３２を上方に移動させた後横方向に移動させることで退避位置に移動させる。また、退避位置にあるランプ挟みヘッド２３２については、そのランプ挟みヘッド２３２を横方向に移動させた後下方向に移動させることで挿入位置に移動させる。
【００４５】
また、操作レバー２９は、前述したように、その操作レバー２９の操作により、載置台２２を、図３に示す作業位置と図１４に示す非干渉位置との間で移動させるレバーである。図３に示す作業位置は、載置台２２に載置された磁気ディスク装置１０Ａの基体１２に固定された状態のランプ１８の取外し穴１８３へのピン２３３ａの挿入を受ける位置である。また非干渉位置は、載置台２２に載置された磁気ディスク装置１０Ａ上の磁気ディスク媒体１３と、ランプ挟みヘッド２３２に挟まれ基体２２から取り外されて作業位置に留まった状態のランプ１８との間の上下方向の重なりを避けた位置である。
【００４６】
図１０は、載置台２２が上記の非干渉位置に移動し、かつランプ挟みヘッド２３２が、ランプ１８を挟んだまま退避位置に移動した状態のランプ取外し冶具２０を示した斜視図である。
【００４７】
次に、磁気ディスク装置１０Ａからランプ１８を取り外す作業手順について説明する。
【００４８】
図１１〜図１４は、ランプ取外し作業の各ステップを示す平面図である。
【００４９】
先ず、図１１に示すように、冶具アーム２３を退避位置に移動させた状態で載置台２２上に磁気ディスク装置１０Ａを載せ、操作レバー２９を図１１に示す位置に倒すことにより載置台２２を作業位置に移動させる。この段階では、ランプ１８はネジ１８５により基体１２に固定されている。また、この図１１に示す状態では、磁気ディスク媒体１３とランプ１８は平面視で一部が重なっている。
【００５０】
この図１１の状態で摘みアーム２３４の挟み部２３４ｃ（図９参照）を挟んで挟み部２３４ｂをピン２３３ａから離れた状態にし、その挟み部２３４ｃを摘んだまま、冶具アーム２３の案内コロ２３５が、カム板２４１の上面の案内カム２４１ａに従って、第２の停止位置２４１ｃ（図７参照）から第１の停止位置２４１ｂに向けて横方向に移動され、次いで下方向に移動される。この移動により、図１２に示すように、ランプ挟みヘッド２３２は上記の挿入位置に移動し、ピン２３３ａがランプ１８の取外し穴１８３（図２参照）に入り込んだ、図９（Ａ）に示す状態となる。その後摘み部２３４ｃから指を離すと、図９（Ｂ）に示すように、ランプ１８をピン２３３ａと挟み部２３４ｂとで挟んだ状態となる。その後、ランプ１８を基体１２に固定しているネジ１８５が外される。
【００５１】
ランプ１８を固定しているネジ１８５が外れた後、図１３に示すように操作レバー２９を矢印Ｃ方向に回動させる。するとランプ１８を作業位置に残したまま、載置台２２が横方向にスライドして非干渉位置に移動する。またそれに伴ってその載置台２２に載置されている磁気ディスク装置１０Ａも矢印Ｃ方向にスライドする。このスライドにより、磁気ディスク媒体１３とランプ１８の平面視での重なりが外れた状態となる。その後、冶具アーム２３の案内コロ２３５が、カム板２４１上面の案内カム２４１ａに沿って移動させる。この移動にあたっては、冶具アーム２３を上方に移動させ、その後横方向に移動させて、案内コロ２３５を再び第２の停止位置２４１ｃに移動させる。このときのランプ挟みヘッド２３２の位置が退避位置である（図１３参照）。
【００５２】
このアーム取外し冶具２０を用い、上記作業手順に従ってランプ１８を基体１２から取り外すと、必要以上に慎重にならなくても、ランプ１８が磁気ディスク媒体１３に触れて磁気ディスク媒体１３を破損させてしまう事態を避けることができ、かつ作業性が大きく向上する。
【符号の説明】
【００５３】
１０，１０Ａ    磁気ディスク装置
１２    基体
１３    磁気ディスク媒体
１５    磁気ヘッド
１６    アクチュエータアーム
１８    ランプ
２０    アーム取外し冶具
２１    基盤
２２    載置台
２３    冶具アーム
２４    案内機構
１８２    ネジ穴
１８３    ランプ取外し用穴
１８５    ネジ
２３１    アーム本体
２３２    ランプ挟みヘッド
２３３    アームブロック
２３３ａ    ピン
２３３ｂ    押え部
２３４    摘みアーム
２３４ａ    回動軸
２３４ｂ    挟み部
２３４ｃ    摘み部
２３５    案内コロ
２４１    カム板
２４１ａ    案内カム
２４１ｂ    第１の停止位置
２４１ｃ    第２の停止位置
２４２    スライド機構
２４２ａ    スライドブロック
２４２ｂ    水平レール
２４２ｃ    垂直レール
【図１】
2010238312.tif 000003
【図２】
2010238312.tif 000004
【図３】
2010238312.tif 000005
【図４】
2010238312.tif 000006
【図５】
2010238312.tif 000007
【図６】
2010238312.tif 000008
【図７】
2010238312.tif 000009
【図８】
2010238312.tif 000010
【図９】
2010238312.tif 000011
【図１０】
2010238312.tif 000012
【図１１】
2010238312.tif 000013
【図１２】
2010238312.tif 000014
【図１３】
2010238312.tif 000015
【図１４】
2010238312.tif 000016